(57)【要約】【課題】本発明は、旋回スクロール外周部と非旋回スクロール外周部の潤滑性を向上させることで、摺動部の信頼性を向上させたスクロール圧縮機を提供することを目的とする。【解決手段】非旋回スクロールに配設した給油溝の外側角部のエッジにクラウニング処理を設けることにより旋回スクロールの外周部との接触時の潤滑性を確保することが可能となり、圧縮機の信頼性を向上させることが可能となる。さらに、旋回スクロール支持部材との衝突を回避するため、旋回スクロール板の摺動面の角部を面取り加工して鈍角形状とすることで、圧縮機の信頼性をより向上させることが可能となる。【選択図】図１
2011080417.tif 000002
【特許請求の範囲】
【請求項１】
密閉容器とその密閉容器内に収納された電動機部とその電動機部によって駆動される台板とその台板上に一体的に形成された渦巻状のラップを有する非旋回スクロール板とその旋回スクロール板と組み合わされる台板とその台板上に一体的に形成された渦巻状のラップを有し、回転軸中心に対して台板の中心をある旋回半径寸法オフセットして組み合わせた旋回スクロール板により構成される圧縮機構部とを備え、前記非旋回スクロール板を支持する部材の前記旋回スクロール板との摺動面に前記回転軸と同心のリング状の給油溝を配設したスクロール圧縮機であって、前記リング状の給油溝外周側角部にクラウニング処理がほどこされているスクロール圧縮機。
【請求項２】
旋回スクロール板外周角部の硬度が非旋回スクロール板の摺動面の硬度よりも高い請求項１記載のスクロール圧縮機。
【請求項３】
旋回スクロール板の外周角部がテーパ状若しくは丸くされて鈍角である請求項１記載のスクロール圧縮機。
【請求項４】
非旋回スクロール板に設けるクラウニング幅をバネにより支持される研磨石により加工することを特徴とする請求項１から３いずれか１項に記載のスクロール圧縮機。
【請求項５】
非旋回スクロール板に設けるクラウニング幅が前記リング状の給油溝幅よりも小さいものである請求項４記載のスクロール圧縮機。
【発明の詳細な説明】
【技術分野】
【０００１】
本発明は、空気調和機や給湯機などのヒートポンプ応用製品において、冷媒を圧縮するスクロール圧縮機に関するものである。
【背景技術】
【０００２】
従来から摺動抵抗の低減の目的で、非旋回スクロール板の圧縮室の最外周の角部に面取りをし、旋回スクロール板の摺動抵抗を低減しようとした例がある。
【先行技術文献】
【特許文献】
【０００３】
【特許文献１】特開昭５９−１４１７８１号公報
【発明の概要】
【発明が解決しようとする課題】
【０００４】
しかしながら現在の密閉型スクロール圧縮機の高効率・高信頼性のため、旋回スクロールと非旋回スクロールの摺動部の潤滑性が重要となっている。
【課題を解決するための手段】
【０００５】
前記課題を解決するため、非旋回スクロールに配設した給油溝の外側角部のエッジをクラウニング処理を施したものとすることで、旋回スクロールの外周部との接触時の潤滑性を確保し、圧縮機の信頼性を向上させることが可能となる。さらに、旋回スクロール支持部材との衝突を回避するため、旋回スクロール板の摺動面の角部を面取り加工して鈍角形状とする。
【発明の効果】
【０００６】
旋回スクロール板の外周角部が、非旋回スクロール板に配設した給油溝の外周角部と接触および非接触を繰り返すような揺動運動する際において摺動部の潤滑性を確保することが可能となり、より高い信頼性を確保することが可能となる。
【図面の簡単な説明】
【０００７】
【図１】本発明実施の形態１を示す図
【図２】本発明実施の形態１を示す図
【図３】図２の部分詳細図
【図４】本発明実施の形態２を示す図
【図５】本発明実施の形態３を示す図
【発明を実施するための形態】
【０００８】
請求項１記載の発明は非旋回スクロール板を支持する部材の前記旋回スクロール板との摺動面に前記回転軸と同心のリング状の給油溝を配設されたスクロール圧縮機で前記給油溝の外周側角部と前記旋回スクロールが揺動運動し接触する場合において、前記外周側角部に微小なクラウニング処理を施したものであり、この構成であれば旋回スクロール板の外周角部との摺動部潤滑が接触・離反を繰り返す揺動運動時においても接触部の潤滑状態を円滑にすることができ、前記旋回スクロールの摺動部磨耗や発熱を抑えることが可能となり、より高い信頼性を確保することが可能となる。
【０００９】
請求項２記載の発明は前記旋回スクロール板外周角部の硬度が前記非旋回スクロール板の摺動面に対し高く、揺動運動する際に前記非旋回スクロールに配設した前記給油溝の外
周角部との接触する場合において前記旋回スクロールの摺動部磨耗や発熱を抑えることが可能となり、より高い信頼性を確保することが可能となる。
【００１０】
請求項３記載の発明は前記旋回スクロール板の外周角部をテーパ状若しくは丸くされて鈍角形状に加工することにより、前記旋回スクロールが揺動運動する際に前記非旋回スクロールに配設した前記給油溝の外周角部との接触する場合において記旋回スクロールの摺動部磨耗や発熱を抑えることが可能となり、より高い信頼性を確保することが可能となる。
【００１１】
請求項４記載の発明は前記請求項１から３にいずれかの発明において前記非旋回スクロール板に配設した前記給油溝の外周角部に設けるクラウニング処理をバネにより支持される研磨石により加工することで数μｍ単位での処理が可能となり、より潤滑性を確保することが可能なクラウニング処理を実現することが可能となる。
【００１２】
請求項５記載の発明は請求項４記載の発明において前記非旋回スクロールに配設した前記クラウニング処理時に研磨石の中心位置を前記給油溝の内部に設定することにより前記研磨石を指示するバネ力との間でアンバランスが生じ、研磨石が傾くため数μｍ単位での処理が可能となり、より潤滑性を確保することが可能なクラウニング処理を実現することが可能となる。
【００１３】
以下、本発明の実施の形態について、図面を参照しながら説明する。なお、この実施の形態によって本発明が限定されるものではない。
【００１４】
（実施の形態１）
図１および図２にて、第１の実施例を説明する。図１は、圧縮機構部の説明図であり、旋回スクロール板外周角部１１の可動範囲と非旋回スクロール板溝部２１の位置関係を示したものである。図２は、電動機の回転軸（図示せず）の中心を通る平面且つ旋回スクロール板１０が最も偏心した位置での関係を示す断面図である。
【００１５】
密閉容器（図示せず）内に収納された電動機部（図示せず）と、その電動機部によって駆動される台板とその台板上に一体的に形成された渦巻状のラップを有する旋回スクロール板１０と、その旋回スクロール板１０と組み合わされる台板とその台板上に一体的に形成された渦巻状のラップを有する非旋回スクロール板２０とにより構成される圧縮機構部とを具えたスクロール圧縮機において、前記非旋回スクロール板２０と前記旋回スクロール板１０との摺動面に給油溝２１を備え、この溝２１への潤滑油が旋回スクロール１０を非旋回スクロール２０に押し付けるために設けられる背圧室（図示せず）により供給されるため、旋回スクロール１０の旋回時に必ず給油溝２１が背圧室に連通する必要がある構造において、この溝２１の外側角部２１ａと旋回スクロール板外周角部１１が接触・離反を部分的に揺動するため、旋回スクロール板外周角部１１と溝の外周側角部２１ａとの衝突により潤滑が途切れる等の影響をなくすように外側角部２１ａに図３にあるような数μｍのクラウニング処理部２５を施すことにより、旋回スクロール板外周角部１１の傾斜部が接触・離反の揺動運動する際の衝突による影響をなくし、潤滑性を向上させることが可能となるため、旋回スクロール板外周角部１１や非旋回スクロール２０の給油溝外周角部２１ａ摺動部分の潤滑不足による発熱・磨耗を抑えることができ、信頼性の向上を図ることができる。
（実施の形態２）
図４にて、第２の実施例を説明する。図４は非旋回スクロール板２０に配設した給油溝２１に高速回転する研磨ツール３０を配置した場合の拡大図である。非旋回スクロールの外側角部２１ａを数μｍのクラウニング処理を施すために、高速回転する研磨ツール３０を用いるが、回転する根元にはバネが配置されており、ある一定負荷以上には面圧が高ま
らないように設計されている。そのため、給油溝２１の外周角部２１ａ部分において研磨ツール３０の一部が給油溝２１上にはみ出るよう図のように配置し、非旋回スクロール中心を基点として回転研磨することにより高精度でのクラウニング処理を行うことが可能となる。
（実施の形態３）
図５にて第３の実施例を説明する。図５は高速回転する研磨ツール３０を用いて給油溝２１にクラウニング処理を施す詳細拡大図である。研磨ツールは高速回転するため円筒で形成されており、その径は給油溝２１の幅の２倍以下となるように設定し、その中心軸を意図的に給油溝２１内部に配設することによりバネの押し付け力により破線のように研磨ツール３０は給油溝２１内部に入り込むことになり、給油溝２１の外周角部２１ａに対しより滑らかなクラウニング処理を施すことができる。更にクラウニングの径方向の長さについても研磨ツール３０の（半径−ツール中心軸の給油溝への配置量）にて規定できるため深さ方向だけでなく、径方向についても高精度にクラウニング処理を施すことができる。
【産業上の利用可能性】
【００１６】
以上のように、本発明にかかる密閉型圧縮機において、旋回スクロール外周部と非旋回スクロール外周部の潤滑性を向上させることが可能となり、摺動部の信頼性を向上させるスクロール圧縮機が実現可能となる。
【符号の説明】
【００１７】
１０  旋回スクロール板
１１  旋回スクロール板外周角部
２０  非旋回スクロール板
２０ａ  旋回スクロール板の摺動面
２１  非旋回スクロール板給油溝
２１ａ  旋回スクロール板溝外側角部
２５  クラウニング処理部
３０  研磨ツール
【図１】
2011080417.tif 000003
【図２】
2011080417.tif 000004
【図３】
2011080417.tif 000005
【図４】
2011080417.tif 000006
【図５】
2011080417.tif 000007